(57)【特許請求の範囲】
【請求項１】
ワイヤーパートでシートから分離されるトリム部分（以下、ワイヤートリム部分）を分離除去する機構と、プレスパートでシートから分離されるトリム部分（以下、プレストリム部分）を分離除去する機構とを備えた抄紙機のプレスパートにおけるシートカット方法において、ワイヤーパートにおけるプレストリムノズルから噴射される水を遮断し、プレスパートにおけるプレスセンターロール出口のシートとプレストリム部分との分離を阻害することにより、プレスセンターロール出口でシートカットさせることを特徴とする抄紙機のプレスパートにおけるシートカット方法。
【請求項２】
ワイヤーパートにおけるプレストリムノズルから噴射される水の遮断手段が、機側からのエア吹き付け、可動遮断板の付設、ノズル噴射水供給ラインのバルブ閉鎖、およびノズル噴射水供給ポンプの可動停止から選ばれるいずれか１種からなることを特徴とする請求項１記載の抄紙機におけるシートカット方法。
【発明の詳細な説明】
【０００１】
【発明の属する技術分野】
本発明は、抄紙機におけるシートカット方法に関するものであり、さらに詳しくはロールや抄紙要具に紙片およびその塊を巻き込むことなく、速やかにシートカットができる、ワイヤートリム部分を分離除去する機構と、プレストリム部分を分離除去する機構とを備えた抄紙機のプレスパートにおけるシートカット方法に関するものである。
【０００２】
【従来の技術】
従来、ワイヤートリム部分を分離除去する機構と、プレストリム部分を分離除去する機構とを備えた抄紙機において、プレスパート以降で発生したトラブルに対して緊急にシートを切断する必要が生じた場合、プレスパートに付設された機構によりシートを切断する方法が採られている。例えば、図３に示すようなシートカット方法を挙げることができる。
【０００３】
図３は、従来のシートカット方法を示す抄紙機のプレスパート周辺部における概略図である。図３において、
シート１は、プレストリム部分４と共にプレスセンターロール１６に密着する。シート１はペーパーロール１７以降のテンションによってプレスセンターロール１６から剥がされ、ペーパーロール１７以降に繋がっていく。一方、プレストリム部分４は、シート１がプレスセンターロール１６から剥がれる際に、プレストリム部分の切り口５によってシート１と分離し、引き続きプレスセンターロール１６に密着していくが、プレスセンターロールドクター１８によって剥がされ、下部に設置されているプレスピット１９に収納される。また、プレスセンターロール１６とペーパーロール１７の間の機側には、シート１を切断するためのプレスセンターロール出口エアノズル１５がシート１の側面近傍に付設されている。
【０００４】
次に、従来の抄紙機のプレスパート周辺部におけるシートカット方法について、図３を用いて説明する。後述するワイヤーパートから続くシート１は、ワイヤーパートによりプレストリム部分の切り口５が付けられてプレスセンターロール１６に密着される。プレスセンターロール１６の出口に付設されたプレスセンターロールドクター１８によって密着されたプレストリム部分４が剥がされ、プレストリム部分４はプレストリム部分の切り口５から切断され、プレスピット１９に落下して収納され、主要のシート１自体はテンションによってプレスパート以降へと搬送されていく。ここで、何らかのトラブルが発生した場合、シート１の切断指令により、シート１の切断手段としてのプレスセンターロール出口エアノズル１５が作動し、シート１の側面からエアを噴射させて図３のシートカット部分６で示すように強制的にシート１を切断させる。
【０００５】
このような従来のシートカット方法では、シートの原料配合などによるシートの強度などの物性の差、シートの進行角度などの設備的要因によって、機側からエアを噴射させても速やかにシートが切断されない場合がある。このとき、速やかにシートが切断されず、シートの一部または全部がプレスセンターロール以降のロールに巻き付いたり、シートが塊状となってロールに損傷を与えることになる。また、プレスフェルトやドライヤーカンバスなどの抄紙要具に損傷を与えることにもなる。
【０００６】
図３では、シート１の切断に際して、プレスセンターロール出口エアノズル１５よりエアを噴射し、シートカット部分６でシート１の紙片または紙片の塊７が飛散し、ペーパーロール１７に巻き込まれる状態を示している。
【０００７】
上記図３の従来のシートカット方法を示す抄紙機のワイヤーパート周辺部における概略図に対して、プレストリム部分の切り口５を形成させる上流側のワイヤーパート周辺部をさらに説明する。
【０００８】
図４は、従来の抄紙機のワイヤーパート周辺部における概略図である。図４において、ワイヤー１１上にあるシート１は、シートの両端部近傍に位置するワイヤートリムノズル８、プレストリムノズル９、クーチロール１２、ピックアップロール１３を経てプレスパートへと続く。
【０００９】
次に、ワイヤートリム部分２およびプレストリム部分４を形成させる方法について、図４を用いて説明する。シート１は、ワイヤートリムノズル８により水を噴射させてワイヤートリム部分の切り口３を形成、続くプレストリムノズル９により水を噴射させてプレストリム部分の切り口５を形成させる。ワイヤートリム部分の切り口３の幅方向外側のワイヤートリム部分２は、ピックアップロール１３下部でプレストリム部分の切り口５を付けた状態のシート１と切り離され、ワイヤートリム部分２がターニングロール１４から落下される。一方、プレストリム部分の切り口５を付けた状態のシート１は、下流側のプレスパートへと進んでいく。
【００１０】
【発明が解決しようとする課題】
本発明の目的は、従来の方法では解決し得なかったプレスセンターロール出口でシートの切断を速やかに行うことができ、以てロールおよび抄紙要具などの損傷のない抄紙機のプレスパートにおけるシートカット方法を提供するものである。
【００１１】
【課題を解決するための手段】
本発明者は、上記に鑑み鋭意検討した結果、本発明の抄紙機のプレスパートにおけるシートカット方法を発明するに至った。即ち、本発明の抄紙機のプレスパートにおけるシートカット方法は、ワイヤートリム部分を分離除去する機構と、プレストリム部分を分離除去する機構とを備えた抄紙機のプレスパートにおけるシートカット方法において、ワイヤーパートにおけるプレストリムノズルから噴射される水を遮断し、プレスパートにおけるプレスセンターロール出口のシートとプレストリム部分との分離を阻害することにより、プレスセンターロール出口でシートカットさせることを特徴とするものである。
【００１２】
本発明において、ワイヤーパートにおけるプレストリムノズルから噴射される水の遮断手段は、機側からのエア吹き付け、可動遮断板の付設、ノズル噴射水供給ラインのバルブ閉鎖、およびノズル噴射水供給ポンプの可動停止から選ばれるいずれか１種からなることを特徴とする。
【００１３】
【発明の実施の形態】
以下、本発明の実施の形態について、図面を用いて説明する。
図１は、本発明によるシートカット方法を示す抄紙機のプレスパート周辺部における概略図である。図１において、シート１はプレスセンターロール１６に密着され、プレスセンターロール１６の出口にはプレスセンターロールドクター１８が付設されている。シート１はペーパーロール１７を経てワイヤーパート以降に繋がっている。プレスセンターロール１６とペーパーロール１７との間には、プレストリム部分４を収納するプレスピット１９がある。
【００１４】
次に、本発明による抄紙機のプレスパート周辺部におけるシートカット方法について、図１を用いて説明する。後述するワイヤーパートから続くシート１は、プレスセンターロール１６に密着される。プレスセンターロール１６の出口に付設されたプレスセンターロールドクター１８によって密着されたプレストリム部分４が剥がされ、プレストリム部分４はプレストリム部分の切り口５からプレストリム部分４が切断され、プレスピット１９に落下し、収納され、主要のシート自体はテンションによってプレスパート以降へと搬送されていく。ここで、何らかのトラブルが発生した場合、シート１の切断指令により、後述するが、ワイヤーパートではシート１の切断指令を受けてプレストリム部分の切り口５を付けることを中止させられる。プレストリム部分の切り口５のなくなったシート１は、プレスセンターロール１６に密着され、テンションによりプレストリム部分の切り口５から裂けて、シートカット部分６に示されるような裂け目が発生し、ついにはシートの切断がなされる。この場合、従来のプレスセンターロール出口エアノズル１５を用いた強制的なシートの切断とは違い、紙片または紙片の塊を飛散させることなく、速やかにシートの切断作業が行われる。その結果、シートの一部または全部がプレスセンターロール以降のロール巻き付いたり、シートが塊状となってロールに損傷を与えることがない。また、プレスフェルトやドライヤーカンバスなどの抄紙要具に損傷を与えることもない。
【００１５】
上記図１の本発明によるシートカット方法を示す抄紙機のプレスパート周辺部における概略図に対して、プレストリム部分の切り口５の形成を中止させる上流側のワイヤーパート周辺部をさらに説明する。
【００１６】
図２は、本発明の抄紙機のワイヤーパート周辺部における概略図である。図２において、ワイヤー１１上にあるシート１は、シートの両端部近傍に位置するワイヤートリムノズル８、プレストリムノズル９、プレストリムノズルカット用エアノズル１０、クーチロール１２、ピックアップロール１３を経てプレスパートへと続く。
【００１７】
次に、ワイヤートリム部分の形成およびプレストリム部分の形成を中止させる方法について、図２を用いて説明する。シート１は、ワイヤートリムノズル８により水を噴射させてワイヤートリム部分の切り口３を形成、続くプレストリムノズル９により水を噴射させてプレストリム部分の切り口５を形成させる。（ここまでは前述した図４に同じ。）ここで、シート１の切断指令がなされた時、プレストリムノズル９の噴射口に対してプレストリムノズルカット用エアノズル１０よりエアを噴射し、水の噴射を遮断させる。この結果、シート１にはプレストリム部分の切り口５は形成されることなく、下流側のプレスパートへと進んでいく。一方、ワイヤートリム部分の切り口３の幅方向外側のワイヤートリム部分２は、ピックアップロール１３下部でプレストリム部分の切り口５を付けた状態でシート１と切り離され、ワイヤートリム部分２がターニングロール１４から落下される。
【００１８】
プレストリムノズル９の水の噴射を遮断する手段として、図２ではプレストリムノズルカット用エアノズルを用いた態様で説明したが、可動遮断板を付設する、ノズル噴射水供給ラインのバルブを閉鎖させる、ノズル噴射水供給ポンプの可動停止する、など適宜必要に応じて適用することができる。
【００１９】
【発明の効果】
本発明の抄紙機のプレスパートにおけるシートカット方法は、ワイヤーパートでのプレストリムノズルから噴射される水を遮断することにより、シートの切断が速やかに行われ、かつロールや抄紙要具への損傷を解消することができる。
【図面の簡単な説明】
【図１】本発明によるシートカット方法を示す抄紙機のプレスパート周辺部における概略図である。
【図２】本発明の抄紙機のワイヤーパート周辺部における概略図である。
【図３】従来のシートカット方法を示す抄紙機のプレスパート周辺部における概略図である。
【図４】従来の抄紙機のワイヤーパート周辺部における概略図である。
【符号の説明】
１  シート
２  ワイヤートリム部分
３  ワイヤートリム部分の切り口
４  プレストリム部分
５  プレストリム部分の切り口
６  シートカット部分
７  紙片の塊
８  ワイヤートリムノズル
９  プレストリムノズル
１０  プレストリムノズルカット用エアノズル
１１  ワイヤー
１２  クーチロール
１３  ピックアップロール
１４  ターニングロール
１５  プレスセンターロール出口エアノズル
１６  プレスセンターロール
１７  ペーパーロール
１８  プレスセンターロールドクター
１９  プレスピット
【図１】
0003671130.tif 000002
【図２】
0003671130.tif 000003
【図３】
0003671130.tif 000004
【図４】
0003671130.tif 000005